(57)【要約】レンズ鏡筒内の筒部材間の周方向のガタ取りを行う。【解決手段】レンズ鏡筒１を、第１筒１５と、前記第１筒１５の径方向の外側又は内側の一方に配置され、光軸に沿った直進溝１４１を有する第２筒１４と、前記第１筒１５に設けられる固定部材１０１と、前記固定部材１０１に対して移動可能に保持され、前記直進溝１４１に配置される第１突部１０４を有する移動部材１０２と、前記固定部材１０１と前記移動部材１０２との間に配置される弾性部１０３と、を備え、前記弾性部１０３によって、前記第１突部１０４は前記直進溝１４１の一方の側面と当接する構成とする。
2020170584.tif 000002
【特許請求の範囲】
【請求項１】
第１筒と、
前記第１筒の径方向の外側又は内側の一方に配置され、光軸に沿った直進溝を有する第２筒と、
前記第１筒に設けられる固定部材と、
前記固定部材に対して移動可能に保持され、前記直進溝に配置される第１突部を有する移動部材と、
前記固定部材と前記移動部材との間に配置される弾性部と、
を備え、
前記弾性部によって、前記第１突部は前記直進溝の一方の側面と当接する
レンズ鏡筒。
【請求項２】
前記弾性部は、光軸を中心とする周方向に前記固定部材と前記移動部材とを付勢する
請求項１に記載のレンズ鏡筒。
【請求項３】
前記移動部材は、前記固定部材に対して光軸を中心とする周方向に移動可能であり、
前記第１突部は、前記弾性部によって前記移動部材が光軸を中心とする周方向に移動することにより、前記直進溝の一方の側面と当接する
請求項２に記載のレンズ鏡筒。
【請求項４】
前記第１筒は、第２突部が取り付けられ、
前記弾性部の付勢によって、前記第２突部は前記直進溝の他方の側面と当接する
請求項１から請求項３の何れか１項に記載のレンズ鏡筒。
【請求項５】
前記第１突部及び第２突部は、ベアリングを有する
請求項４に記載のレンズ鏡筒。
【請求項６】
前記第１筒と前記第２筒とは、前記光軸方向における相対的な位置関係が変化する
請求項１から請求項５の何れか１項に記載のレンズ鏡筒。
【請求項７】
前記固定部材は、前記第１突部が配置される穴部を有する
請求項１から請求項６の何れか１項に記載のレンズ鏡筒。
【請求項８】
前記移動部材は、前記固定部材より内周側に配置される
請求項１から請求項７の何れか１項に記載のレンズ鏡筒。
【請求項９】
第１筒と、
前記第１筒に設けられる固定部材と、
前記固定部材に対して移動可能に保持される移動部材と、
前記固定部材及び前記移動部材が配置される溝を有する第２筒と、
前記固定部材と前記移動部材との間に配置される弾性部材と、を備え、
前記弾性部材によって、前記固定部材は前記溝の一方の側面と当接し、前記移動部材は前記溝の他方の側面と当接する
レンズ鏡筒。
【請求項１０】
第１筒と、
前記第１筒に設けられる固定部材と、
前記固定部材に対して移動可能に保持される移動部材と、
光軸を中心とする周方向に付勢力を有し、前記固定部材と前記移動部材との間に配置される弾性部材と、
前記固定部材、前記移動部材及び前記弾性部材が配置される溝を有する第２筒と、を備える
レンズ鏡筒。
【請求項１１】
第１筒と、
第１突部を有する移動部材と、
前記第１筒に設けられ、前記移動部材を移動可能に保持し、前記第１突部が配される穴を有する固定部材と、
前記固定部材及び前記移動部材が配置される溝を有する第２筒と、
前記固定部材と前記移動部材との間に配置される弾性部材と、を備える
レンズ鏡筒。
【請求項１２】
前記固定部材が有する前記穴は、前記第１突部が前記固定部材に対して移動可能な方向に長さを有する
請求項１１に記載のレンズ鏡筒。
【請求項１３】
請求項１から請求項１２の何れか１項に記載のレンズ鏡筒を備える撮像装置。
【発明の詳細な説明】
【技術分野】
【０００１】
本発明は、レンズ鏡筒及び撮像装置に関する。
【背景技術】
【０００２】
レンズ鏡筒は、ガタを防止する必要がある。
【先行技術文献】
【特許文献】
【０００３】
【特許文献１】特開平７−１２０６５１号公報
【発明の概要】
【０００４】
第１の態様のレンズ鏡筒は、第１筒と、前記第１筒の径方向の外側又は内側の一方に配置され、光軸に沿った直進溝を有する第２筒と、前記第１筒に設けられる固定部材と、前記固定部材に対して移動可能に保持され、前記直進溝に配置される第１突部を有する移動部材と、前記固定部材と前記移動部材との間に配置される弾性部と、を備え、前記弾性部によって、前記第１突部は前記直進溝の一方の側面と当接する構成とする。
【０００５】
第２の態様のレンズ鏡筒は、第１筒と、前記第１筒に設けられる固定部材と、前記固定部材に対して移動可能に保持される移動部材と、前記固定部材及び前記移動部材が配置される溝を有する第２筒と、前記固定部材と前記移動部材との間に配置される弾性部材と、を備え、前記弾性部材によって、前記固定部材は前記溝の一方の側面と当接し、前記移動部材は前記溝の他方の側面と当接する構成とする。
【０００６】
第３の態様のレンズ鏡筒は、第１筒と、前記第１筒に設けられる固定部材と、前記固定部材に対して移動可能に保持される移動部材と、光軸を中心とする周方向に付勢力を有し、前記固定部材と前記移動部材との間に配置される弾性部材と、前記固定部材、前記移動部材及び前記弾性部材が配置される溝を有する第２筒と、を備える構成とする。
【０００７】
第４の態様のレンズ鏡筒は、第１筒と、第１突部を有する移動部材と、前記第１筒に設けられ、前記移動部材を移動可能に保持し、前記第１突部が配される穴を有する固定部材と、前記固定部材及び前記移動部材が配置される溝を有する第２筒と、前記固定部材と前記移動部材との間に配置される弾性部材と、を備える構成とする。
【０００８】
第５の態様の撮像装置は、上記レンズ鏡筒を備える構成とする。
【図面の簡単な説明】
【０００９】
【図１】第１実施形態のレンズ鏡筒１を示す断面図であり、上部と下部とで焦点距離が異なる状態を示す。
【図２】直進筒１５を外周側から見た部分斜視図であり、直進筒１５の外周に位置する固定筒１４を点線で示す。
【図３】図２においてガタ取り構造１００を分解して示す斜視図である。
【図４】第２実施形態のレンズ鏡筒２０１内の筒構成の一部を示す側面図である。
【図５】固定筒２１４の外周に回転移動筒２１３が配置された状態を示す分解図である。
【図６】図４から固定筒２１４を取り除いた状態の部分斜視図である。
【図７】図６の状態において、後述のガタ取り構造２５０を分解斜視図で示した図である。
【発明を実施するための形態】
【００１０】
（第１実施形態）
以下、図面等を参照して、第１実施形態のレンズ鏡筒１について説明する。図１は、第１実施形態のレンズ鏡筒１を示す断面図であり、図１における上部と下部とは、焦点距離が異なる状態を示す。
レンズ鏡筒１は、図中右側にレンズ側マウント部１１を有し、カメラボディ２に設けられたボディ側マウント部（図示せず）に対して着脱可能な交換式レンズ鏡筒１である。ただしこれに限定されず、カメラボディ２と一体型のレンズ鏡筒であっても良い。
以下、光軸ＯＡに沿った図中左側を被写体側、図中右側を像側と称す。
【００１１】
レンズ鏡筒１は、外周側からフォーカスリング１２と、フォーカスリング１２の被写体側の内周側に配置され、フォーカスリング１２と一体で回転する回転筒１３と、回転筒１３の内周側に配置され、回転筒１３よりもさらに像側に延びる固定筒１４と、回転筒１３及び固定筒１４の内周側に配置され、回転筒１３の回転によって直進する直進筒１５と、を備える。
【００１２】
レンズ鏡筒１は、本実施形態では２群構成の単焦点レンズで、１群レンズＬ１と、２群レンズＬ２とを備える。ただし、２群構成の単焦点レンズに限定されない。例えば、ズームレンズでも良いし、より多くの群で構成されていてもよい。
１群レンズＬ１は、第１−１群レンズＬ１１と、第２−１群レンズＬ１２と、第３−１群レンズＬ１３と、第４−１群レンズＬ１４と、第５−１群レンズＬ１５と、第６−１群レンズＬ１６と、第７−１群レンズＬ１７と、を備える。
第１−１群レンズＬ１１の外周は第１−１群レンズ保持枠２１に保持され、第２−１群レンズＬ１２外周は第２−１群レンズ保持枠２２に保持され、第３−１群レンズＬ１３の外周は第３−１群レンズ保持枠２３に保持され、第４−１群レンズＬ１４の外周は第４−１群レンズ保持枠２４に保持され、第５−１群レンズＬ１５外周は第５−１群レンズ保持枠２５に保持され、第６−１群レンズＬ１６の外周は第６−１群レンズ保持枠２６に保持され、第７−１群レンズＬ１７外周は第７−１群レンズ保持枠２７に保持されている。
【００１３】
第３−１群レンズ保持枠２３と、第４−１群レンズ保持枠２４と、第５−１群レンズ保持枠２５とは、それらの外周に配置された第２直進移動筒３２に固定されている。第２直進移動筒３２は直進筒１５にネジ止めされている。
したがって、直進筒１５が直進すると、第２直進移動筒３２が直進し、これにより第３−１群レンズ保持枠２３と、第４−１群レンズ保持枠２４と、第５−１群レンズ保持枠２５と、が直進し、ゆえに第３−１群レンズＬ１３と、第４−１群レンズＬ１４と、第５−１群レンズＬ１５とが直進する。
【００１４】
第１−１群レンズ保持枠２１と、第２−１群レンズ保持枠２２とは、それらの外周に配置された第１直進移動筒３１に固定されている。第１直進移動筒３１は第２直進移動筒３２の被写体側の先端にネジ止めされている。
したがって、直進筒１５が直進すると、第２直進移動筒３２とともに第１直進移動筒３１が直進し、これにより第１−１群レンズ保持枠２１と、第２−１群レンズ保持枠２２とが直進し、ゆえに第１−１群レンズＬ１１と、第２−１群レンズＬ１２とが直進する。
【００１５】
第６−１群レンズ保持枠２６と、第７−１群レンズ保持枠２７とは、直進筒１５に固定されている。したがって、直進筒１５が直進すると、第６−１群レンズ保持枠２６と、第７−１群レンズ保持枠２７とが直進し、ゆえに第６−１群レンズＬ１６と第７−１群レンズＬ１７とが直進する。すなわち、直進筒１５の直進により、１群レンズＬ１が全て直進する。
【００１６】
また、２群レンズＬ２は、２群レンズ保持枠２８に保持され、２群レンズ保持枠２８は、固定筒１４の像側に固定されている。
【００１７】
（固定筒１４）
図１に示すように固定筒１４は、被写体側が大径で像側が小径の筒部材である。なお、固定筒１４の形状はこれに限らず、被写体側も像側もほぼ同径の形状であってもよい。図２は、直進筒１５を外周側から見た部分斜視図であり、直進筒１５の外周に位置する固定筒１４を点線で示す。図３は、図２において後述のガタ取り構造１００を分解して示す斜視図である。
なお、「ガタ」とは、筒部材間での、製造上の誤差や、機械設計時に意図的に設けられた組立上必要なクリアランス等によって生じてしまう相対的な動きをいう。また、「ガタ取り」とは、この相対的な動きを除去することを意味する。
【００１８】
（直進筒１５）
図１に示すように、直進筒１５は、固定筒１４と同様に被写体側が大径で、像側が小径であり、被写体側の端部に大径部よりもさらに大径で外周にヘリコイドネジが設けられたネジ部１５Ｃが設けられている。なお、直進筒１５の形状はこれに限らず、被写体側と像側とがほぼ同径の形状でもよい。
ヘリコイドネジは、回転筒１３の被写体側の内面に設けられたヘリコイド溝に螺合し、回転筒１３が回転すると、ヘリコイドネジがヘリコイド溝に沿って移動する。これにより直進筒１５は、固定筒１４と、固定筒１４に対して回転するが光軸ＯＡ方向には移動しない回転筒１３とに対して光軸ＯＡ方向に直進移動（進退）する。
【００１９】
図１の上部は、直進筒１５の固定筒１４に対する突出量が最も少ない状態を示し、直進筒１５のネジ部１５Ｃのみが第１環状部材１６及び固定筒１４から突出している。
図１の下部は直進筒１５の固定筒１４に対する突出量が最も大きい状態を示し、直進筒１５のネジ部１５Ｃは、図１の上部に示す状態と比べて第１環状部材１６及び固定筒１４から光軸方向に離間しており、直進筒１５の大径部の約半分程度が第１環状部材１６及び固定筒１４よりも被写体側に突出している。ただし、直進筒１５の先端は、回転筒１３の先端から突出しておらず、回転筒１３のヘリコイド溝と、直進筒１５のヘリコイドネジとの係合は維持されている。
【００２０】
図２及び図３においては１箇所のみ示すが、直進筒１５の外面には、周方向に均等な３箇所に、光軸ＯＡ方向に延びる凹部１５２が設けられている。また、図２において点線で１箇所のみ示すが、固定筒１４には、内径側における周方向の均等な３箇所に、直進溝１４１が設けられている。
【００２１】
直進筒１５の凹部１５２の底面には貫通した直線穴１５１が設けられている。直線穴１５１は凹部１５２の長手方向の概ね中央に位置している。凹部１５２の底面における、直線穴１５１を挟んだ両側には、それぞれ円形の開口部１５３が設けられている。なお、直線穴１５１は必ずしも貫通してなくてもよい。
【００２２】
直進筒１５の凹部１５２の中には、ガタ取り構造１００が配置されている。ガタ取り構造１００は、凹部１５２内を光軸方向に延びる固定部材１０１と、凹部１５２内を固定部材１０１と同様に光軸ＯＡ方向に延びるが、固定部材１０１よりも短い移動部材１０２と、固定部材１０１と移動部材１０２との間に配置されるバネ１０３と、外径側に突出する２つの内側ベアリング１０４と、内側ベアリング１０４の外側に配置され、内側ベアリング１０４と同様に外径側に突出する２つの外側ベアリング１０５とを備える。
【００２３】
（固定部材１０１）
固定部材１０１は、凹部１５２内を光軸ＯＡ方向に延びる細長い部材である。固定部材１０１は、長手方向の概ね中央に設けられた固定側対向部１０１ａと、固定側対向部１０１ａの両端からそれぞれ長手方向に延びる固定側ベアリング取付部１０１ｂとを備える。２つの固定側ベアリング取付部１０１ｂにはそれぞれ、固定側対向部１０１ａ側から、内側ベアリング移動長穴１０１ｃと外側ベアリング固定穴１０１ｄとが貫通して設けられている。２つの内側ベアリング移動長穴１０１ｃは、それぞれ固定部材１０１の短手方向（光軸を中心とする周方向）に長い長穴である。
【００２４】
（移動部材１０２）
移動部材１０２は、凹部１５２内を光軸ＯＡ方向に延びる細長い部材で、固定部材１０１より短い。移動部材１０２は、長手方向の中央に移動側対向部１０２ａを備える。移動側対向部１０２ａは、固定側対向部１０１ａと略同じ長さで、固定側対向部１０１ａと周方向に対向するように配置されている。
移動部材１０２は、移動側対向部１０２ａの両端からそれぞれ長手方向に延びる移動側ベアリング取付部１０２ｂを備える。２つの移動側ベアリング取付部１０２ｂにはそれぞれ、内側ベアリング固定穴１０２ｃが貫通して設けられている。
移動側ベアリング取付部１０２ｂは、固定側ベアリング取付部１０１ｂよりも、径方向において直進筒１５側（内径側）となるように設けられている。言い換えると、移動側ベアリング取付部１０２ｂは、固定側ベアリング取付部１０１ｂと直進筒１５との間に配置される。
【００２５】
直進筒１５の凹部１５２の中に、移動部材１０２が配置され、固定部材１０１は、移動側ベアリング取付部１０２ｂの上に、固定側ベアリング取付部１０１ｂが配置され且つ、移動側対向部１０２ａと固定側対向部１０１ａとが対向するように配置される。
このとき、固定側対向部１０１ａと移動側対向部１０２ａとの間には２つのバネ１０３が配置されている。バネ１０３は圧縮バネで、周方向に延びるように（周方向に沿って）配置されている。つまり、バネ１０３は、固定部材１０１（固定側対向部１０１ａ）と移動部材１０２（移動側対向部１０２ａ）とを周方向に付勢する。
【００２６】
（内側ベアリング１０４）
２つの内側ベアリング移動長穴１０１ｃ間の光軸ＯＡ方向の距離と、２つの内側ベアリング固定穴１０２ｃ間の光軸方向の距離は概ね等しい。
内側ベアリング移動長穴１０１ｃを貫通して、内側ベアリング固定穴１０２ｃに内側ベアリング１０４の中心軸が固定される。
このとき、内側ベアリング１０４の外周は、移動部材１０２の移動側対向部１０２ａより周方向に突出している。
【００２７】
ここで、内側ベアリング移動長穴１０１ｃは固定部材１０１の短手方向に長穴であるので、移動部材１０２の内側ベアリング固定穴１０２ｃに固定された内側ベアリング１０４は、内側ベアリング移動長穴１０１ｃの長軸方向（レンズ鏡筒の周方向）に移動可能である。つまり、内側ベアリング１０４が周方向に移動可能なように、内側ベアリング移動長穴１０１ｃはレンズ鏡筒の周方向（内側ベアリング１０４や移動部材１０２が移動可能な方向）に長い長穴の形状に形成されている。なお、内側ベアリング移動長穴１０１ｃは、長穴に限らず、内側ベアリング１０４が周方向に移動可能なように形成されていればよい。例えば、固定部材１０１の短手方向（光軸を中心とする周方向）に向かって切り欠かれた切欠きであってもよい。
【００２８】
（外側ベアリング１０５）
２つの外側ベアリング固定穴１０１ｄ間の光軸ＯＡ方向の距離と、直進筒１５の凹部１５２に設けられた２つの開口部１５３間の光軸ＯＡ方向の距離は等しい。
そして、外側ベアリング固定穴１０１ｄ貫通して、直進筒１５（開口部１５３）に外側ベアリング１０５の中心軸が取り付けられている。
これにより、固定部材１０１は、外側ベアリング１０５によって、直進筒１５に対して固定される。
【００２９】
固定部材１０１はこのように直進筒１５に対して固定されている。一方、移動部材１０２は固定部材１０１に対して移動可能である。このため、移動部材１０２は、バネ１０３の付勢力によって固定側対向部１０１ａに対して、レンズ鏡筒１の周方向に押圧されて周方向に移動可能である。
また、内側ベアリング１０４の外周は、移動部材１０２の移動側対向部１０２ａより周方向に突出しているので、内側ベアリング１０４が固定筒１４の直進溝１４１の側面の一方に当接する。直進筒１５に取り付けられたガタ取り機構１００は、直進筒１５が光軸方向に移動する際に、直進溝１４１を移動する。このとき、内側ベアリング１０４が直進溝１４１に当接しているため、直進筒１５はガタなくスムーズに移動することができる。
【００３０】
外側ベアリング１０５の外周は、固定部材１０１の固定側対向部１０１ａより周方向に突出している。ゆえに、外側ベアリング１０５が固定筒１４の直進溝１４１の側面の他方に当接する。よって、ガタ取り機構１００が直進溝１４１内を移動する際に、外側ベアリング１０５が直進溝１４１に当接しているためガタを抑制しスムーズに移動することができる。ただしこれに限定されず、外側ベアリング１０５は直進溝１４１と当接しない構成でも良い。
また、移動側ベアリング取付部１０２ｂが、固定側ベアリング取付部１０１ｂと直進筒１５とに挟み込まれているため、移動部材１０２が浮いてしまうことを防止できる。
【００３１】
以上、本実施形態によると、内側ベアリング１０４の外周が固定筒１４の直進溝１４１の側面の一方に当接して、固定筒１４が直進筒１５に対してバネ力によって周方向の付勢されている。したがって、固定筒１４と、固定筒１４に対して直進移動する直進筒１５との間の周方向のガタを取ることができる。また、直進溝１４１を用いてガタ取りすることで、相対的に回転しない筒同士のガタを適切にとることができる。相対的に回転しない筒同士のガタをとることで、光学性能が向上する。
直進筒１５は内部に第２直進移動筒３２等を介して複数のレンズ群を保持している。直進筒１５の周方向のガタを取ることにより、直進筒１５内部に保持されているレンズ群の倒れやガタを抑制することができ、レンズ鏡筒１の光学性能を向上させることができる。
なお、本実施形態において、周方向に均等な３箇所設けられた凹部１５２にガタ取り構造１００が設けられる例を記載したが、これに限らない。２箇所以下でもよいし、４箇所以上に設けても良い。また、均等ではなく不均等に複数の凹部１５２及びガタ取り構造１００を設けてもよい。
なお、実施形態では固定筒１４の内径側に直進筒１５が配置される例を説明したが、固定筒１４の外径側に直進筒１５を配置してもよい。その場合、内側ベアリング１０４や外側ベアリング１０４は内径側に突出し、直進溝１４１に係合してよい。この場合、直進溝１４１は固定筒１４の外周側に設けられる。
なお、実施形態では、固定部材１０１は、外側ベアリング１０５によって、直進筒１５に対して固定される例を説明したが、固定部材１０１に対応する部分が直進筒１５に一体形成されていてもよい。
【００３２】
（第２実施形態）
次に、図面等を参照して第２実施形態のレンズ鏡筒２０１について説明する。図４は、第２実施形態のレンズ鏡筒２０１内の筒構成の一部を示す側面図である。第２実施形態のレンズ鏡筒２０１も、第１実施形態のレンズ鏡筒１と同様に、レンズ側マウント部（図示せず）を有し、カメラボディ（図示せず）に対して着脱可能な交換式レンズ鏡筒２０１である。ただし、これに限定されず、カメラボディと一体型のレンズ鏡筒であっても良い。
【００３３】
レンズ鏡筒２０１は、少なくとも、図４に示す固定筒２１４と、固定筒２１４の内径側に配置されレンズ群Ｍ（図６に図示）を保持するとともに固定筒２１４に対して直進する直進筒２１５と、固定筒２１４の外周側に配置され、固定筒２１４に対して相対回転するとともに光軸ＯＡ方向に移動する、図４において点線で示す回転移動筒２１３とを備える。
【００３４】
図５は、固定筒２１４の外周に回転移動筒２１３が配置された状態を示す分解図である。図６は、図４から固定筒２１４を取り除いた状態で、回転移動筒２１３及び固定筒２１４を点線で示した部分斜視図である。図７は図６の状態において、後述のガタ取り構造２５０を分解斜視図で示した図である。
【００３５】
（回転移動筒２１３）
回転移動筒２１３は、レンズ鏡筒２０１に設けられた回転操作部（図示せず）を回転させることにより、光軸ＯＡを中心として回転しつつ、光軸ＯＡ方向に移動する筒である。回転移動筒２１３は、内周面に、光軸ＯＡを中心とした円周方向に延びる周溝２１３ａが設けられている。
【００３６】
（固定筒２１４）
固定筒２１４には、図中１箇所のみ示すが、光軸ＯＡに沿って延びる直進ガイド溝２１４ｂとガタ取り用直進溝２１４ａとの２本の直進溝の組が、周方向の均等な３箇所に設けられている。
【００３７】
（直進筒２１５）
直進筒２１５はレンズ群Ｍを保持し、図中１箇所のみ示すが、周方向の均等な３か所に、直進ガイド部２３０とガタ取り構造２５０とを備える。
【００３８】
（直進ガイド部２３０）
直進ガイド部２３０は、直進筒２１５の外周面に、光軸ＯＡ方向に延びるように取り付けられた略矩形の直進部２３１と、直進部２３１の外面に外径側に突出するようにして固定された直進駆動第１ベアリング２３２とを備える。直進駆動第１ベアリング２３２は、回転移動筒２１３の周溝２１３ａに係合している。
【００３９】
（ガタ取り構造２５０）
ガタ取り構造２５０は、直進筒２１５の外周面に外径側に突出して固定された２段ベアリング２５１と、直進筒２１５の光軸ＯＡに対して直交する側面２１５ａに取り付けられた移動板２５２と、移動板２５２を貫通して直進筒２１５の側面２１５ａに固定された第１固定ピン２５３及び第２固定ピン２５４と、第２固定ピン２５４と移動板２５２とを付勢するバネ２５５と、移動板２５２に固定された押圧ベアリング２５６とを備える。
【００４０】
（２段ベアリング２５１）
２段ベアリング２５１は、内径側の固定ベアリング２５１ａと、外径側の直進駆動第２ベアリング２５１ｂとを備える２段構造であり、直進筒２１５の外周面に外径側に突出して固定されている。
直進駆動第２ベアリング２５１ｂは、直進ガイド部２３０の直進駆動第１ベアリング２３２と、光軸ＯＡからの径方向距離が略等しく、また光軸ＯＡ方向においても同一周上に位置し、直進駆動第１ベアリング２３２とともに、回転移動筒２１３の周溝２１３ａに係合している。
なお、実施形態において固定ベアリング２５１ａの外周は、ガタ取り用直進溝２１４ａの側面に当接しているわけではない。ただしこれに限定されず当接させても良い。この場合、固定ベアリング２５１ａは、後述する押圧ベアリング２５６が当接する直進溝２１４ａの側面とは他方の側面と当接する。
【００４１】
（移動板２５２）
図７に示すように、移動板２５２は、長手方向の両側のそれぞれに、長手方向に延びる長穴２５２ａ、２５２ｂが設けられている平坦部２５２Ａと、平坦部２５２Ａにおける、２つの長穴２５２ａ、２５２ｂの間の側面の一方から平坦部２５２Ａに対して略直角に折れ曲がって像側に延びるベアリング保持部２５２ｃと、平坦部２５２Ａの長手方向の一端から平坦部２５２Ａに対して略直角に折れ曲がってベアリング保持部２５２ｃと同じくウント側に延びるバネかけ部２５２ｄと、を備える。
【００４２】
（第１固定ピン２５３、第２固定ピン２５４）
バネかけ部２５２ｄが設けられた側の長穴２５２ｂには、第１固定ピン２５３が挿入され、第１固定ピン２５３は長穴２５２ｂを貫通して直進筒２１５の側面２１５ａに固定されている。他方の長穴２５２ａには、第２固定ピン２５４が挿入され、第２固定ピン２５４は長穴２４２ａを貫通して直進筒２１５の側面２１５ａに固定されている。これにより移動板２５２は、長手方向が直進筒２１５の周方向に沿い且つ周方向に移動可能に配置される。
【００４３】
（バネ２５５）
第２固定ピン２５４は第１固定ピン２５３よりも光軸ＯＡ像側に向って長く延び、第２固定ピン２５４とバネ２５５かけ部との間に引っ張りバネ２５５が取り付けられている。
【００４４】
（押圧ベアリング２５６）
押圧ベアリング２５６は、移動板２５２のベアリング保持部２５２ｃに固定され、直進筒２１５よりも外径に突出している。
【００４５】
直進筒２１５に固定された第２固定ピン２５４に一端が固定され、移動板２５２のバネかけ部２５２ｄに他端が固定されたバネ２５５は、バネかけ部２５２ｄ、すなわち移動板２５２を周方向の第２固定ピン２５４側に引っ張る。
このとき、移動板２５２は、第１固定ピン２５３及び第２固定ピン２５４を介して、直進筒２１５に対して、長穴２５２ａ、２５２ｂの長軸の長さの範囲で周方向に移動可能に保持されている。
したがって移動板２５２はバネ２５５によって周方向に引っ張られると、周方向に移動する。これにより、押圧ベアリング２５６も周方向に移動して固定筒２１４のガタ取り用直進溝２１４ａの側面に当接する。
【００４６】
レンズ鏡筒２０１に設けられた回転操作部（図示せず）を回転させと、回転移動筒２１３は、光軸ＯＡを中心として回転しつつ光軸ＯＡ方向に直進移動する。このとき、回転移動筒２１３の内周面に設けられた周溝２１３ａに、直進駆動第１ベアリング２３２と、直進駆動第２ベアリング２５１ｂとが係合している。直進駆動第１ベアリング２３２と、直進駆動第２ベアリング２５１ｂとは、回転せずに直進移動のみ可能な直進筒２１５に固定されている。したがって、直進駆動第１ベアリング２３２と直進駆動第２ベアリング２５１ｂとは、周溝２１３ａが回転しても、光軸ＯＡを中心とした回転はしない。
しかし、直進駆動第１ベアリング２３２と直進駆動第２ベアリング２５１ｂとは、周溝２１３ａと当接している外面がそれぞれの中心軸を中心として回転可能である。
ゆえに、周溝２１３ａ、すなわち回転移動筒２１３の周方向の回転を妨げることなく、直進駆動第１ベアリング２３２と直進駆動第２ベアリング２５１ｂが設けられている直進筒２１５は、光軸ＯＡ方向の駆動力を得ることができる。
【００４７】
このとき直進筒２１５は、固定筒２１４に設けられた直進ガイド溝２１４ｂによって直進移動がガイドされる。
このとき、直進筒２１５に取り付けられた押圧ベアリング２５６が固定筒２１４のガタ取り用直進溝２１４ａの側面に当接して、固定筒２１４と直進筒２１５との間の周方向のガタは除去される。これにより、直進筒２１５のレンズ群Ｍの倒れを抑制することができ、レンズ鏡筒１の光学性能を向上させることができる。また、ガタ取り用直進溝２１４ａを用いてガタ取りすることで、相対的に回転しない筒同士のガタを適切にとることができる。相対的に回転しない筒同士のガタをとることで、光学性能が向上する。
なお、実施形態では周方向の均等な３か所に、直進ガイド部２３０とガタ取り構造２５０とを備える構成を説明したがこれに限らない。直進ガイド部２３０とガタ取り構造２５０とは、２箇所以下に設けられても良いし、４箇所以上に設けられてもよい。また、不均等に設けられても良い。
なお、実施形態では固定筒２１４の内径側に直進筒２１５が配置される例を説明したが、固定筒２１４の外径側に直進筒２１５を配置してもよい。その場合、２段ベアリング２５１や押圧ベアリング２５６は内径側に突出し、ガタ取り用直進溝２１４ａに係合してよい。また、回転移動筒２１３を固定筒２１４の内径側に配置し、２段ベアリング２５１や押圧ベアリング２５６が、ガタ取り用直進溝２１４ａと円周溝２１３ａと係合するようにしてもよい。
なお、実施形態では、第２固定ピン２５４が直進筒２１５に固定される例を説明したが、第２固定ピン２５４に対応する部分が直進筒２１５に一体形成されている構成でもよい。
【００４８】
なお、上記説明した実施形態に限らず任意の組み合わせでも良い。
【符号の説明】
【００４９】
Ｌ１：１群レンズ、Ｌ２：２群レンズ、Ｍ：レンズ群、ＯＡ：光軸、１：レンズ鏡筒、１３：回転筒、１４：固定筒、１５：直進筒、１５Ｃ：ネジ部、１６：第１環状部材、１００：ガタ取り構造、１０１：固定部材、１０１ａ：固定側対向部、１０１ｂ：固定側ベアリング取付部、１０１ｃ：内側ベアリング移動長穴、１０１ｄ：外側ベアリング固定穴、１０２：移動部材、１０２ａ：移動側対向部、１０２ｂ：移動側ベアリング取付部、１０２ｃ：内側ベアリング固定穴、１０３：バネ、１０４：内側ベアリング、１０５：外側ベアリング、１４１：直進溝、１５１：直線穴、１５２：凹部、１５３：開口部、２０１：レンズ鏡筒、２１３：回転移動筒、２１３ａ：周溝、２１４：固定筒、２１４ａ：用直進溝、２１４ｂ：直進ガイド溝、２１５：直進筒、２１５ａ：側面、２３０：直進ガイド部、２３１：直進部、２３２：直進駆動第１ベアリング、２４２ａ：長穴、２５０：構造、２５１：段ベアリング、２５１ａ：固定ベアリング、２５１ｂ：直進駆動第２ベアリング、２５２：移動板、２５２Ａ：平坦部、２５２ａ：長穴、２５２ｂ：長穴、２５２ｃ：ベアリング保持部、２５２ｄ：バネかけ部、２５３：第１固定ピン、２５４：第２固定ピン、２５５：バネ、２５６：押圧ベアリング
【図１】
2020170584.tif 000003
【図２】
2020170584.tif 000004
【図３】
2020170584.tif 000005
【図４】
2020170584.tif 000006
【図５】
2020170584.tif 000007
【図６】
2020170584.tif 000008
【図７】
2020170584.tif 000009
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
第１筒と、
前記第１筒の径方向の外側又は内側の一方に配置され、光軸に沿った直進溝を有する第２筒と、
前記第１筒に設けられ、前記直進溝に配置される固定部材と、
前記固定部材に対して移動可能に保持され、前記直進溝に配置される第１突部を有する移動部材と、
前記固定部材と前記移動部材との間に、光軸を中心とする周方向に沿って配置される弾性部と、
を備え、
前記弾性部によって、前記第１突部は前記直進溝の一方の側面と当接する
レンズ鏡筒。
【請求項２】
前記弾性部は、光軸を中心とする周方向に前記固定部材と前記移動部材とを付勢する
請求項１に記載のレンズ鏡筒。
【請求項３】
前記移動部材は、前記固定部材に対して光軸を中心とする周方向に移動可能であり、
前記第１突部は、前記弾性部によって前記移動部材が光軸を中心とする周方向に移動することにより、前記直進溝の一方の側面と当接する
請求項２に記載のレンズ鏡筒。
【請求項４】
前記固定部材は、第２突部が取り付けられ、
前記弾性部の付勢によって、前記第２突部は前記直進溝の他方の側面と当接する
請求項１から請求項３の何れか１項に記載のレンズ鏡筒。
【請求項５】
前記第１突部及び第２突部は、ベアリングを有する
請求項４に記載のレンズ鏡筒。
【請求項６】
前記第１筒と前記第２筒とは、前記光軸方向における相対的な位置関係が変化する
請求項１から請求項５の何れか１項に記載のレンズ鏡筒。
【請求項７】
前記固定部材は、前記第１突部が配置される穴部を有する
請求項１から請求項６の何れか１項に記載のレンズ鏡筒。
【請求項８】
前記移動部材は、前記固定部材より内周側に配置される
請求項１から請求項７の何れか１項に記載のレンズ鏡筒。
【請求項９】
第１筒と、
前記第１筒に設けられる固定部材と、
前記固定部材に対して移動可能に保持される移動部材と、
前記固定部材及び前記移動部材が配置される溝を有する第２筒と、
前記固定部材と前記移動部材との間に、光軸を中心とする周方向に沿って配置される弾性部材と、を備え、
前記弾性部材によって、前記固定部材は前記溝の一方の側面と当接し、前記移動部材は前記溝の他方の側面と当接する
レンズ鏡筒。
【請求項１０】
第１筒と、
前記第１筒に設けられる固定部材と、
前記固定部材に対して移動可能に保持される移動部材と、
光軸を中心とする周方向に付勢力を有し、前記固定部材と前記移動部材との間に光軸を中心とする周方向に沿って配置される弾性部材と、
前記固定部材、前記移動部材及び前記弾性部材が配置され、光軸に沿って形成される直進溝を有する第２筒と、を備える
レンズ鏡筒。
【請求項１１】
第１筒と、
第１突部を有する移動部材と、
前記第１筒に設けられ、前記移動部材を移動可能に保持し、前記第１突部が配される穴を有する固定部材と、
前記固定部材及び前記移動部材が配置される溝を有する第２筒と、
光軸を中心とする周方向に付勢力を有し、前記固定部材と前記移動部材との間に配置される弾性部材と、を備える
レンズ鏡筒。
【請求項１２】
前記固定部材が有する前記穴は、前記第１突部が前記固定部材に対して移動可能な方向に長さを有する
請求項１１に記載のレンズ鏡筒。
【請求項１３】
請求項１から請求項１２の何れか１項に記載のレンズ鏡筒を備える撮像装置。
【手続補正２】
【補正対象書類名】明細書
【補正対象項目名】０００４
【補正方法】変更
【補正の内容】
【０００４】
第１の態様のレンズ鏡筒は、第１筒と、前記第１筒の径方向の外側又は内側の一方に配置され、光軸に沿った直進溝を有する第２筒と、前記第１筒に設けられ、前記直進溝に配置される固定部材と、前記固定部材に対して移動可能に保持され、前記直進溝に配置される第１突部を有する移動部材と、前記固定部材と前記移動部材との間に、光軸を中心とする周方向に沿って配置される弾性部と、を備え、前記弾性部によって、前記第１突部は前記直進溝の一方の側面と当接する構成とする。
【手続補正３】
【補正対象書類名】明細書
【補正対象項目名】０００５
【補正方法】変更
【補正の内容】
【０００５】
第２の態様のレンズ鏡筒は、第１筒と、前記第１筒に設けられる固定部材と、前記固定部材に対して移動可能に保持される移動部材と、前記固定部材及び前記移動部材が配置される溝を有する第２筒と、前記固定部材と前記移動部材との間に、光軸を中心とする周方向に沿って配置される弾性部材と、を備え、前記弾性部材によって、前記固定部材は前記溝の一方の側面と当接し、前記移動部材は前記溝の他方の側面と当接する構成とする。
【手続補正４】
【補正対象書類名】明細書
【補正対象項目名】０００６
【補正方法】変更
【補正の内容】
【０００６】
第３の態様のレンズ鏡筒は、第１筒と、前記第１筒に設けられる固定部材と、前記固定部材に対して移動可能に保持される移動部材と、光軸を中心とする周方向に付勢力を有し、前記固定部材と前記移動部材との間に光軸を中心とする周方向に沿って配置される弾性部材と、前記固定部材、前記移動部材及び前記弾性部材が配置され、光軸に沿って形成される直進溝を有する第２筒と、を備える構成とする。
【手続補正５】
【補正対象書類名】明細書
【補正対象項目名】０００７
【補正方法】変更
【補正の内容】
【０００７】
第４の態様のレンズ鏡筒は、第１筒と、第１突部を有する移動部材と、前記第１筒に設けられ、前記移動部材を移動可能に保持し、前記第１突部が配される穴を有する固定部材と、前記固定部材及び前記移動部材が配置される溝を有する第２筒と、光軸を中心とする周方向に付勢力を有し、前記固定部材と前記移動部材との間に配置される弾性部材と、を備える構成とする。
【国際調査報告】
2020170584.tif 000010
2020170584.tif 000011
2020170584.tif 000012
2020170584.tif 000013
2020170584.tif 000014